(57)【要約】【課題】テーブル上のグラスを飛沫から効果的に遮蔽することができる飛沫遮蔽具を提供する。【解決手段】テーブル上に載置されるグラスに近接して載置され、グラスを飛沫から遮蔽する飛沫遮蔽具であって、グラスをその側方からの飛沫から遮蔽する側方遮蔽部と、グラスをその上方からの飛沫から遮蔽する上方遮蔽部とを備える。【選択図】図１
0003232156.tif 000002
【実用新案登録請求の範囲】
【請求項１】
載置台上に載置される載置物に近接して載置され、前記載置物を飛沫から遮蔽するものにおいて、
前記載置物をその側方からの飛沫から遮蔽する側方遮蔽部と、
前記載置物をその上方からの飛沫から遮蔽する上方遮蔽部と、
を備えたことを特徴とする飛沫遮蔽具。
【請求項２】
前記側方遮蔽部と前記上方遮蔽部は、前記載置物を部分的に包囲して収容する収容部を構成することを特徴とする請求項１に記載の飛沫遮蔽具。
【請求項３】
前記側方遮蔽部と前記上方遮蔽部の少なくとも一方は、透明または半透明の素材で構成したことを特徴とする請求項１または２に記載の飛沫遮蔽具。
【請求項４】
前記上方遮蔽部は、前記側方遮蔽部の上部を閉塞する天板を有する構成としたことを特徴とする請求項１から３のいずれかに記載の飛沫遮蔽具。
【請求項５】
前記側方遮蔽部は、水平方向において湾曲した側板を有する構成としたことを特徴とする請求項１から４のいずれかに記載の飛沫遮蔽具。
【請求項６】
前記側方遮蔽部は、水平方向において多角形の側板部を有する構成としたことを特徴とする請求項１から４のいずれかに記載の飛沫遮蔽具。
【請求項７】
前記側方遮蔽部は、少なくとも１以上の垂直折り目を有する側面部を備える構成としたことを特徴とする請求項１から４のいずれかに記載の飛沫遮蔽具。
【請求項８】
前記側方遮蔽部と前記上方遮蔽部の少なくとも一方は、その内周面側に模様部を有する構成したことを特徴とする請求項１から７のいずれかに記載の飛沫遮蔽具。
【考案の詳細な説明】
【技術分野】
【０００１】
本考案は、会食時などの飛沫を遮蔽する飛沫遮蔽具に関する。
【背景技術】
【０００２】
近時、各種ウイルスなどによる感染を防止する目的として、会食時などにおいてマスクをしたり卓上にパーテーションを載置したりして飛沫を防止することが行われている。
【０００３】
この種の飛沫防止具として、特許文献１には、飲食時は上方へ動かし、会話時は元に戻すように構成したフェイスシールド型マスクが開示されている。
【０００４】
また、特許文献２には、飲食時における卓上に設置する卓上パーテーションが開示されている。
【先行技術文献】
【特許文献】
【０００５】
【特許文献１】実用新案登録第３２２８９４３号
【特許文献２】実用新案登録第３２２９３６０号
【考案の概要】
【考案が解決しようとする課題】
【０００６】
しかしながら、これらフェイスシールド型マスクや卓上パーテーションは、対面する相手に対して飛沫の防止を図るもので、卓上のグラスや皿などの食器から離れた位置での使用状態となるため、食器やその内容物を飛沫から効果的に遮蔽することができない。
【０００７】
本考案は、上記事情に基づいてなされたもので、その目的とするところは、載置台上の載置物を飛沫から効果的に遮蔽することができる飛沫遮蔽具を提供することにある。
【課題を解決するための手段】
【０００８】
上記課題を解決するために、本考案は、載置台上に載置される載置物に近接して載置され、載置物を飛沫から遮蔽する飛沫遮蔽具であって、載置物をその側方からの飛沫から遮蔽する側方遮蔽部と、載置物をその上方からの飛沫から遮蔽する上方遮蔽部とを備えたことを特徴とするものである。
【０００９】
側方遮蔽部と上方遮蔽部は、載置物を部分的に包囲して収容する収容部を構成するのが好ましい。
【００１０】
また、側方遮蔽部と上方遮蔽部の少なくとも一方は、透明または半透明の素材で構成するのが好ましい。
【００１１】
さらに、上方遮蔽部は、側方遮蔽部の上部を閉塞する天板を有するのが好ましい。
【００１２】
さらに、側方遮蔽部は、水平方向において湾曲した側板を有するのが好ましい。
【００１３】
さらに、側方遮蔽部は、水平方向において多角形の側板を有してもよい。
【００１４】
さらに、側方遮蔽部は、少なくとも１以上の垂直折り目を有する側板を備えてもよい。
【００１５】
さらに、側方遮蔽部と上方遮蔽部の少なくとも一方は、その内周面側に模様部を有するのが好ましい。
【考案の効果】
【００１６】
本考案によれば、載置台上の載置物を飛沫から効果的に遮蔽することができる。
【図面の簡単な説明】
【００１７】
図面は、本開示に係る本考案の特定の実施の形態を示し、考案の不可欠な構成ばかりでなく、選択的及び好ましい実施の形態を含む。
【００１８】
【図１】本考案に係る飛沫遮蔽具の第１実施形態を示す斜視図。
【図２】同実施形態を示す他の斜視図。
【図３】同実施形態の使用状態を説明するための斜視図。
【図４】同実施形態の他の使用状態を説明するための斜視図。
【図５】本考案に係る飛沫遮蔽具の第２実施形態を示す斜視図。
【図６】本考案に係る飛沫遮蔽具の第３実施形態を示す斜視図。
【図７】本考案に係る飛沫遮蔽具の第４実施形態を示す斜視図。
【図８】本考案に係る飛沫遮蔽具の第５実施形態を示す斜視図。
【図９】同実施形態の収容状態を説明するための斜視図。
【考案を実施するための形態】
【００１９】
以下、図面を参照しながら本考案の実施形態について説明する。
【００２０】
＜第１実施形態＞
図１は、本考案の第１実施例に係る飛沫遮蔽具を示している。
【００２１】
図１に示すように、飛沫遮蔽具１は、テーブル（載置台）２上に載置されるたとえば飲み物のグラス（載置物）３に近接して載置されて、グラス３を飛沫から遮蔽するもので、側板（側方遮蔽部）４および天板（上方遮蔽部）５を有している。
【００２２】
側板４は、水平方向に湾曲し、垂直方向には湾曲しない直立した形状を呈し、たとえばアクリル樹脂の炉曲げ加工により形成されている。
【００２３】
すなわち、側板４は、たとえば直立した円筒状体または楕円筒体の一部側面部の形状に形成され、自立できるようになっている。
【００２４】
また、天板５は、たとえばアクリル樹脂で平板状に形成されている。
【００２５】
さらに、天板５は、側板４の上端縁に重なる曲線部６と、この曲線部６の両端を結ぶ直線部７とで周囲を形成された半月状を呈し、側板４の上端縁に接着されて、側板４の上部を閉塞するようになっている。
【００２６】
したがって、側板４および天板５の内周側には、図２にも示すように、グラス３を部分的に包囲して収容する収容部８が形成されるようになっている。
【００２７】
すなわち、収容部８は、側板４および天板５がない部分が開放された開放部９となっている。
【００２８】
また、側板４および天板５を構成する上記のアクリル樹脂は、透明のものが用いられている。
【００２９】
さらに、天板５の下面すなわち収容部８側には、たとえばシルク印刷で模様が印刷された模様部１０が形成されている。
【００３０】
しかして、図３に示すように、対面での会食時には、飛沫遮蔽具１がテーブル２上に載置されたグラス３に近接して、かつグラス３に対し相手側に、載置される。
【００３１】
このとき、飛沫阻止具１は、側板４が相手側、収容部８の開放部９が自分側になる向きに載置される。
【００３２】
これにより、グラス３は部分的に側板４と天板５とで包囲され、側板４によって側方からの飛沫から遮蔽されるとともに、天板５によって上方からの飛沫から遮蔽される。
【００３３】
このような構成によれば、対面等で会食しても、テーブル２上のグラス３を飛沫から効果的に遮蔽することができる。
【００３４】
また、会食者Ｐは、飛沫防止具１の側板４と天板５とで包囲された収容部８の側板４と天板５とで包囲されていない開放部９からグラス３を手に取る動作およびテーブル２上に載置する動作が容易に行える。
【００３５】
なお、飛沫遮蔽具１は、グラス３などの高さ、幅、奥行きに合わせて異なる高さ、幅、奥行きのものを用意するのが好ましい。
【００３６】
また、飛沫遮蔽具１は、図４に示すように、飲食店の展示ケース１２に収納されたグラス３に近接させて載置するようにしてもよい。
【００３７】
これにより、この飲食店は、飛沫防止対策をアピールすることができる。
【００３８】
また、側板４および天板５は、透明のものに限定されることはなく、たとえば半透明のものや不透明のものでもよく、透明部分や半透明部分、不透明部分が混在する構成でもよい。
【００３９】
＜第２実施形態＞
図５は、本考案の第２実施例に係る飛沫遮蔽具を示している。
【００４０】
この飛沫遮蔽具２１は、水平方向において多角形の側板部（側方遮蔽部）２２と、この側板部２２の上端縁に連接し、上面部を閉塞する天板部（上方遮蔽部）２３とを有している。
【００４１】
側板部２２は、中央側板部２４と、この中央側板部２４の右側に所定の角度で連接された右側板部２５と、中央側板部２４の左側に所定の角度で連接された左側側板部２６とを有している。
【００４２】
すなわち、側板部２２は、たとえば直立した角筒状体の一部側面部の形状に形成され、自立できるようになっている。
【００４３】
そして、側板部２２と天板部２３によってグラス３の一部を包囲し収容する収容部２７が形成され、側板部２２と天板部２３の設けられていない部分に収容部２７の開放部２８が形成されている。
【００４４】
このように構成しても、グラス３は部分的に側板部２２と天板部２３とで包囲され、側板部２２によって側方からの飛沫から遮蔽されるとともに、天板部２３によって上方からの飛沫から遮蔽される。
【００４５】
＜第３実施形態＞
図６は、本考案の第３実施例に係る飛沫遮蔽具を示している。
【００４６】
この飛沫遮蔽具３１は、水平方向に湾曲した側壁部（側方遮蔽部）３２と、この側壁部３２の上端縁に連接し、上面部を閉塞する球面状の頭部（上方遮蔽部）３３とを有している。
【００４７】
これら側壁部３２と頭部３３とは連続して一体的にドーム状に形成され、側壁部３２によって自立できるようになっている。
【００４８】
また、側壁部３２と頭部３３とによって形成されるドーム状の内部には、グラス３の一部を収容する収容部３４が形成され、側壁部３２の側面にはグラス３の一部を収容部３４に収容するための開放部３５が形成されている。
【００４９】
このように構成しても、グラス３は部分的に側壁部３２と頭部３３とで包囲され、側壁部３２によって側方からの飛沫から遮蔽されるとともに、頭部３３によって上方からの飛沫から遮蔽される。
【００５０】
したがって、対面等で会食しても、テーブル２上のグラス３を飛沫から効果的に遮蔽することができる。
【００５１】
＜第４実施形態＞
図７は、本考案の第４実施例に係る飛沫遮蔽具を示している。
【００５２】
この飛沫遮蔽具４１は、水平方向に多角形の側板部（側方遮蔽部）４２と、この側板部４２の上端縁に連接し、上面部を閉塞する天板部（上方遮蔽部）４３とを有していて、これら側板部４２と天板部４３は一枚のシート４４で形成されている。
【００５３】
すなわち、側板部４２は、垂直方向の２本の垂直折り目４５，４５が設けられ、この２本の垂直折り目４５，４５の間に形成された中央側面部４６と、この中央面部４６に一方の垂直折り目４５を介して中央側面部４６に連接された右側面部４７と、中央側面部４６に他方の垂直折り目４５を介して中央側面部４６に連接された左側面部４８とを有していて、水平方向に多角形の側板部４２を形成し、自立できるようになっている。
【００５４】
また、側板部４２には、中央側面部４６の上端縁に天板部４３が水平折り目４９を介して連接されている。
【００５５】
すなわち、天板部４３は、中央側面部４６の上端縁に水平折り目４９を介して連接された中央上面部５０と、この中央上面部５０の右側に右上面折り目５１を介して連接された右上側面部５２と、中央上面部５０の左側に左上面折り目５３を介して連接された左上側面部５４とを有している。
【００５６】
右上側面部５２および左上側面部５４にはそれぞれ、切欠き５５が設けられ、中央上面部５０が中央側面部４２に対して水平折り目４９を介して折り曲げられ倒伏すると、右上側面部５２の切欠き５５に右側面部４７の上部が嵌まり込むとともに、左上側面部５４の切欠き５５に左側面部４８の上部が嵌まり込むようになっている。
【００５７】
そして、これにより、側板部４２と天板部４３によってグラス３の一部を包囲し収容する収容部５６が形成され、側板部４２と天板部４３の設けられていない部分に収容部５６の開放部５７が形成されている。
【００５８】
このように構成しても、グラス３は部分的に側板部４２と天板部４３とで包囲され、側板部４２によって側方からの飛沫から遮蔽されるとともに、天板部４３によって上方からの飛沫から遮蔽される。
【００５９】
しかも、１枚のシート４４を予め加工しておくことにより、飛沫遮蔽具４１を簡単に組み立てることができる。
【００６０】
＜第５実施形態＞
図８は、本考案の第５実施例に係る飛沫遮蔽具を示している。
【００６１】
この飛沫遮蔽具６１は、垂直折り目６２を介して連接された右側面部６３と左側面部６４とからなる側面部（側方遮蔽部）６５を有している。
【００６２】
これら右側面部６３の上端縁および左側面部６４の上端縁には、三角形天板（上方遮蔽部）６６が連接されている。
【００６３】
すなわち、右側面部６３の上端縁には三角形天板６６の一辺が右山折り目６７を介して連接されているとともに、左側面部６４の上端縁には三角形天板６６の他の一辺が左山折り目６８を介して連接されている。
【００６４】
また、三角形天板６６の中央には、垂直折り目６２の上端に連接する谷折り目６９が形成されている。
【００６５】
そして、図９に示すように、右側面部６３と左側面部６４とを閉じて重ねると、三角形天板６６が谷折り目６９で折り曲げられ、右側面部６３と左側面部６４との間に収容されるようになっている。
【００６６】
また、右側面部６３と左側面部６４とを開くと、三角形天板６６も開いて水平状態になり、これにより、側面部６５と三角形天板６６によってクラス３の一部を包囲し収容する収容部７０が形成され、側面部６５と三角形天板部６６の設けられていない部分に収容部７０の開放部７１が形成されるようになっている。
【００６７】
このように構成しても、グラス３は部分的に側面部６５と三角形天板部６６とで包囲され、側面部６５によって側方からの飛沫から遮蔽されるとともに、三角形天板部６６によって上方からの飛沫から遮蔽される。
【００６８】
しかも、側面部６５および三角形天板部６６を、使用時に展開し、不使用時に折り畳むことにより、収納保管スペースが少なくて済む。
【符号の説明】
【００６９】
１      飛沫遮蔽具
２      載置台（テーブル）
３      載置物（グラス）
４      側方遮蔽部（側板）
５      上方遮蔽部（天板）
８      収容部
１０    模様部
２１    飛沫遮蔽具
２２    側方遮蔽部（側板部）
２３    上方遮蔽部（天板部）
２７    収容部
３１    飛沫遮蔽具
３２    側方遮蔽部（側壁部）
３３    上方遮蔽部（頭部）
３４    収容部
４１    飛沫遮蔽具
４２    側方遮蔽部（側板部）
４３    上方遮蔽部（天板部）
４５    垂直折り目
５６    収容部
６１    飛沫遮蔽具
６２    垂直折り目
６５    側方遮蔽部（側面部）
６６    上方遮蔽部（三角形天板）
７０    収容部
【図１】
0003232156.tif 000003
【図２】
0003232156.tif 000004
【図３】
0003232156.tif 000005
【図４】
0003232156.tif 000006
【図５】
0003232156.tif 000007
【図６】
0003232156.tif 000008
【図７】
0003232156.tif 000009
【図８】
0003232156.tif 000010
【図９】
0003232156.tif 000011